(57)【要約】【課題】操作感を良好としつつ、演奏を容易に楽しむことができるようにすること。【解決手段】有底容器状のベース体１１と、このベース体１１の上部に支持された周壁部１３とを備え、それらの内側に略密閉された内部空間Ｓを形成して電気楽器１０が構成されている。周壁部１３は、演奏時の押圧操作により弾性変形可能に設けられ、この変形により内部空間Ｓが圧力変化する。内部空間Ｓの内部には、圧力センサ１５が設けられ、この圧力センサ１５は、内部空間Ｓの圧力変化を信号として発音装置１７に出力する。発音装置１７は、圧力センサ１５からの信号を入力として所定の電子音を発音する。【選択図】図１
2007206400.tif 000002
【特許請求の範囲】
【請求項１】
所定操作により弾性変形可能な周壁部を備えて略密閉された内部空間を形成する電気楽器であって、
前記内部空間には、当該空間の圧力変化を信号として出力する圧力センサが設けられていることを特徴とする電気楽器。
【請求項２】
所定操作により弾性変形可能に設けられるとともに、略密閉された内部空間を形成する周壁部と、前記内部空間内に配置されるとともに、内部空間の圧力変化を信号として出力する圧力センサと、この圧力センサからの信号を入力として所定の電子音を発音可能な発音装置とを備えていることを特徴とする電気楽器。
【請求項３】
前記周壁部の外周面は、外側に膨らむ湾曲面状に形成されていることを特徴とする請求項１又は２記載の電気楽器。
【請求項４】
前記周壁部は、リム部材を介してベース体に支持され、このベース体は有底容器状に形成されていることを特徴とする請求項１，２又は３記載の電気楽器。
【発明の詳細な説明】
【技術分野】
【０００１】
本発明は、電気楽器に係り、更に詳しくは、簡単な操作によって音を発生させることができる電気楽器に関する。
【背景技術】
【０００２】
近時、福祉施設や医療施設において、音楽療法等の楽器を利用したリハビリテーションが行われている。このようなリハビリテーションでは、音楽の有する良好な心理的作用や、演奏に伴う適度な運動により、心身の障害の回復、機能の維持改善が期待されている。ここで、演奏に用いられる楽器は、その性質上、比較的簡単に演奏できるものが用いられ、パッド部を打撃することにより電子音を発する電気楽器（特許文献１参照）や、空気を封入した袋体の内部に鈴を収納したクッション（特許文献２参照）が考えられる。
【０００３】
【特許文献１】特開平１０−３１４８２号公報
【特許文献２】実開平６−５２６２３号公報
【発明の開示】
【発明が解決しようとする課題】
【０００４】
しかしながら、前記電気楽器にあっては、パッド部が比較的硬い板状体からなるので、パッド部を打撃操作する手に痛みが生じ易くなるという不都合がある。これにより、演奏を継続的に行ったり、音楽による楽しみを付与し難くなり、ひいては、リハビリテーション効果を十分に得られなくなる、という不都合を招来する。
しかも、打撃による振動をセンサで検出するので、当該打撃のタイミングで瞬間的な打撃音しか生じなくなって発音のバリエーションが乏しくなり、発音やその操作に対する興味や楽しみを付与し難くなる、という不都合を生じる。
【０００５】
なお、特許文献２のクッションでは、前記電気楽器に比べると、演奏時の手の痛みを軽減できるものの、前記電気楽器と同様に打撃のタイミングでしか音を発することができず、これによっても、発音のバリエーションが乏しい演奏になってしまうという不都合がある。
【０００６】
［発明の目的］
本発明は、このような不都合に着目して案出されたものであり、その目的は、良好な操作感により演奏することができ、発音のバリエーション等を増やして演奏を容易に楽しむことができる電気楽器を提供することにある。
【課題を解決するための手段】
【０００７】
前記目的を達成するため、本発明は、所定操作により弾性変形可能な周壁部を備えて略密閉された内部空間を形成する電気楽器であって、
前記内部空間には、当該空間の圧力変化を信号として出力する圧力センサが設けられる、という構成が採用されている。
【０００８】
また、本発明は、所定操作により弾性変形可能に設けられるとともに、略密閉された内部空間を形成する周壁部と、前記内部空間内に配置されるとともに、内部空間の圧力変化を信号として出力する圧力センサと、この圧力センサからの信号を入力として所定の電子音を発音可能な発音装置とを備える、という構成も採用される。
【０００９】
本発明において、前記周壁部の外周面は、外側に膨らむ湾曲面状に形成される、という構成が好ましくは採用される。
【００１０】
また、前記周壁部は、リム部材を介してベース体に支持され、このベース体は有底容器状に形成される、という構成を採ることが好ましい。
【発明の効果】
【００１１】
本発明によれば、演奏時に、周壁部をゆっくりと押圧する操作により内部空間の圧力を次第に変化させ、この変化を圧力センサにより検出させることができる。これにより、内部空間の圧力を少しずつ連続的に変化させ、この変化に基づいた出力により音色や音高等を調整でき、多様なバリエーションの発音を楽しむことが可能となる。この結果、電気楽器の演奏に興味や関心をもたせ易くなり、リハビリテーションで用いた際の療養効果も期待することができる。しかも、打撃することなく押圧操作によって発音できるので、手に付与される負担を軽減でき、これによっても、リハビリテーションに利用し易くすることが可能となる。
【００１２】
また、周壁部の外周面を湾曲面状に形成したから、周壁部に手を乗せ易くなり、ひいては、周壁部を手の平等で叩いたり、押圧したりする操作を簡単且つ楽に行うことが可能となる。これにより、演奏時における手の負担を更に軽減することができ、長時間の演奏も楽に行うことが可能となる。
【００１３】
更に、有底容器状のベース体にリム部材を介して周壁部が支持されるので、周壁部によって打面を形成する打楽器のように電気楽器を演奏でき、楽な姿勢で演奏を容易に行うことが可能となる。
【発明を実施するための最良の形態】
【００１４】
以下、本発明の好ましい実施の形態について図面を参照しながら説明する。
【００１５】
図１には、実施形態に係る電気楽器の概略正面図が示されている。この図において、電気楽器１０は、ベース体１１と、このベース体１１の上部に帯状のリム部材１２を介して支持された周壁部１３とを備え、それらの内側に略密閉された内部空間Ｓを形成している。
【００１６】
前記ベース体１１は、円錐台状の外観形状を呈する有底容器状に形成されている。ベース体１１の内側すなわち内部空間Ｓ内には、圧力センサ１５が設けられ、この圧力センサ１５は、内部空間Ｓの圧力変化を検出し、当該検出により得られた信号を出力可能に設けられている。圧力センサ１５は、本実施形態では、ベース体１１の内面上端側に取り付けられている。ここで、圧力センサ１５には、リード線１６を介して発音装置１７が接続されている。
【００１７】
前記発音装置１７は、圧力センサ１５からの信号を入力として所定の電子音を発音可能な各種構造を採用でき、具体的には、図２に示されるように、情報受信及び楽音コントローラ１０１と楽音再生部１０２とを含む本体システム１０３、ホストコンピュータ１０４、サウンドシステム１０５及びスピーカシステム１０６を備えた構成を例示できる。
【００１８】
前記情報受信及び楽音コントローラ１０１は、受信処理部１０１ａ、情報解析部１０１ｂ及び演奏パラメータ決定部１０１ｃを有し、パーソナルコンピュータ（ＰＣ）で構成されるホストコンピュータ１０４と交信可能であり、ホストコンピュータ１０４と連繋して演奏パラメータ制御のためのデータ処理を行う。
つまり、情報受信及び楽音コントローラ１０１は、圧力センサ１５からの検出信号を受信すると、受信処理部１０１ａにおいては、所定の条件の下で対応データが抽出され、抽出されたデータは検出データとして情報解析部１０１ｂに渡される。情報解析部１０１ｂでは、例えば、検出信号の繰返し周期からテンポを検出する等、検出データの解析が行われる。そして、演奏パラメータ決定部１０１ｃは、検出データの解析結果に基づいて楽音の演奏パラメータを決定する。
【００１９】
楽音再生部１０２は、演奏データ制御部１０２ａ及び音源部１０２ｂを有し、例えば、ＭＩＤＩ形式の演奏データに基づいて楽音信号を生成する。演奏データ制御部１０２ａは、本体システム１０３で生成される演奏データ或いは予め用意された演奏データを、演奏パラメータ決定部１０１ｃで設定された演奏パラメータに応じて変更する。そして、音源部１０２ｂは、変更された演奏データに基づく楽音信号を生成してサウンドシステム１０５に送信し、スピーカシステム１０６より対応する楽音を発音する。
【００２０】
前記周壁部１３は、外側に膨らむ湾曲面状に形成され、具体的には、所定の肉厚を備えた球状体の上部領域を略水平に切り取ったような形状に設けられている。周壁部１３は、無負荷状態で一定形状を維持しつつ、演奏者により意図的な外力を付与されることにより弾性変形可能な樹脂材等を用いて構成されている。
【００２１】
以上の構成において、演奏者が周壁部１３を叩いたり、周壁部１３を押圧及び当該押圧を解除したりする操作により、発音装置１７から発音される。これを更に詳述すると、周壁部１３の打撃、押圧及び押圧解除により内部空間Ｓの内圧が変化し、その圧力変化を圧力センサ１５が検出して信号を発音装置１７に出力する。この検出信号は、前記受信処理部１０１ａに入力され、情報解析部１０１ｂにより演奏操作を解析する。この解析結果に応じて演奏パラメータ決定部１０１ｃが演奏パラメータを決定し、当該演奏パラメータに基づいて楽音再生部１０２が楽音演奏データを生成する。これにより、内部空間Ｓの圧力変化を反映して所望に制御された楽音がサウンド及びスピーカシステム１０５，１０６を介して発音される。
【００２２】
ここで、電気楽器１０の演奏操作及び発音としては、周壁部１３を太鼓やドラム等の打楽器の打面のように叩き、打撃音のようなタイミング、音色、音高で発音させたり、周壁部１３をゆっくりと押圧したり押圧力を弱めることで、内部空間Ｓの圧力を継続的に徐々に変化させ、連続的な発音の音色や音高等の変化を微調整して種々の音を生じさせたりすることが例示できる。
【００２３】
なお、周壁部１３の打撃及び押圧等の操作は、演奏者の手によって行う他、足で行ったり、適宜な棒状部材等を用いたり、周壁部１３に着座しながら膝を屈伸して周壁部１３に付与する押圧力を調整したりする等、内部空間Ｓの内圧変化を生じさせる限りにおいて、種々の操作が行われる。
【００２４】
従って、このような実施形態によれば、周壁部１３の打撃操作だけでなく押圧操作によって発音でき、演奏操作のバリエーションを増やすことができるばかりでなく、音色や音高等の発音のバリエーションも増やすことができる。更に、周壁部１３を球面状としたので、周壁部１３上に手の平を乗せ易くなる他、周壁部１３が凹むように容易に変形させることができ、操作感を向上させることが可能となる。これにより、電気楽器１０を用いたリハビリテーション等を行う際の発音やその操作に対する興味や楽しみを付与し易くなる等の効果を得る。
更に、ベース体１１を有底容器状に設けたので、当該ベース体１１をテーブル等に置くことができ、特別なスタンド等を準備する手間を省くことができる。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、周壁部１３の形状は、種々の変更が可能であり、波板状としたり、略フラットな外面としたりしてもよい。但し、前記実施形態のように形成すると、前述のような良好な操作感と周壁部１３の変形容易性とが得られる点で有利となる。
また、周壁部１３を球体状に形成して、ベース体１１及びリム部材１２を省略した構成としてもよく、これにより、エクササイズやトレーニング等で用いられるボールのように、電気楽器１０を用いることが可能となる。
更に、圧力センサ１５の取付位置は、本実施形態では、ベース体１１の内面上端側としたが、内部空間Ｓの圧力変化を検出可能な限りにおいて、周壁部１３の内面側にする等変更してもよい。
また、圧力センサ１５と発音装置１７の両方に無線装置を設け、これらの間の信号の送受信を行ってもよく、これにより、リード線１６を省略できる。
更に、図１では、発音装置１７を内部空間Ｓの外側に配置したが、内部空間Ｓの内側に配置してもよい。
【図面の簡単な説明】
【００２７】
【図１】実施形態に係る電気楽器の概略正面図。
【図２】発音装置の概略的な構成を示すブロック図。
【符号の説明】
【００２８】
１０・・・電気楽器、１１・・・ベース体、１２・・・リム部材、１３・・・周壁部、１５・・・圧力センサ、１７・・・発音装置、Ｓ・・・内部空間
【図１】
2007206400.tif 000003
【図２】
2007206400.tif 000004